(57)【要約】【課題】コスト、製造工程が増加することなく、逆挿入を防止するフラットケーブル及びケーブルユニットを提供する。【解決手段】フラットケーブル４が、平角状の導体４１及びこれら導体４１を互いの挟む一対の絶縁シート４２、４３から構成される。フラットケーブル４の端末において絶縁シート４２が除去されて複数の導体４１が露出され、フラットケーブル４の端末を相手側のコネクタ３のハウジング３１に挿入するとコネクタ３のハウジング３１内に保持された端子３２記露出した導体４１とが接続される。絶縁シート４３には、コネクタ３に向かって突出するようにそれぞれ形成され一対の突部５３、５４が設けられ、一対の突部５３、５４が、互いに異なる形状に設けられている。【選択図】図２
2012099235.tif 000002
【特許請求の範囲】
【請求項１】
平角状の導体と、前記導体を互いの間に挟む一対の帯状の被覆部と、を備えたフラットケーブルであって、当該端末を相手側のコネクタのハウジングに挿入すると当該ハウジング内に保持された端子と前記導体とが接続されるフラットケーブルにおいて、
前記被覆部には、前記相手側のハウジング内に挿入される部分の端面から突出し、前記ハウジング内に設けた一対の嵌合孔にそれぞれ嵌合される一対の突部が設けられ、
前記一対の突部が、互いに異なる形状、または、前記フラットケーブルの帯幅方向の中心を通り、前記フラットケーブルの帯長さ方向に沿った軸を中心とした非対称な位置に、設けられている
ことを特徴とするフラットケーブル。
【請求項２】
平角状の導体及び前記導体を互いの間に挟む一対の帯状の被覆部から構成されるフラットケーブル本体と、前記フラットケーブル本体の端末が搭載される絶縁基板と、を備え、前記絶縁基板を相手側のコネクタのハウジングに挿入すると当該ハウジング内に保持された端子と前記絶縁基板上に搭載されたフラットケーブル本体の導体とが接続されるフラットケーブルにおいて、
前記絶縁基板には、前記ハウジング内に挿入される部分の端面から突出し、前記ハウジング内に設けた一対の嵌合孔にそれぞれ嵌合される一対の突部が設けられ、
前記一対の突部が、互いに異なる形状、または、前記絶縁基板において前記フラットケーブル本体の帯幅方向の中心を通り、前記フラットケーブル本体の帯長さ方向に沿った軸を中心とした非対称な位置に、設けられている
ことを特徴とするフラットケーブル。
【請求項３】
前記一対の突部が、前記フラットケーブルの帯長さ方向の端末側の端面から前記コネクタに向かって突出して設けられている
ことを特徴とする請求項１又は２に記載のフラットケーブル。
【請求項４】
前記一対の突部が、前記帯幅方向の長さが互いに異なるように設けられている
ことを特徴とする請求項３に記載のフラットケーブル。
【請求項５】
平角状の導体及び前記導体を互いの間に挟む一対の帯状の被覆部から構成されるフラットケーブルと、
前記フラットケーブルの端末が挿入されるハウジングと、前記ハウジング内に収容され、前記フラットケーブルの端末が前記ハウジング内に挿入されると前記導体と接続する端子と、を備えた相手側コネクタと、を備えたケーブルユニットにおいて、
前記フラットケーブルの被覆部には、前記ハウジング内に挿入される部分の端面から突出する一対の突部が設けられ、
前記一対の突部が、互いに異なる形状、または、前記絶縁基板において前記フラットケーブル本体の帯幅方向の中心を通り、前記フラットケーブル本体の帯長さ方向に沿った軸を中心とした非対称な位置に、設けられ、
前記ハウジングには、前記一対の突部が嵌合される一対の嵌合孔が設けられている
ことを特徴とするケーブルユニット。
【請求項６】
平角状の導体及び前記導体を互いの間に挟む一対の帯状の被覆部から構成されるフラットケーブル本体と、前記フラットケーブル本体の端末が搭載される絶縁基板と、を備えたフラットケーブルと、
前記絶縁基板が挿入されるハウジングと、前記ハウジング内に収容され、前記絶縁基板が前記ハウジング内に挿入されると前記絶縁基板上に搭載されたフラットケーブル本体の導体と接続する端子と、を備えた相手側コネクタと、を備えたケーブルユニットにおいて、
前記絶縁基板には、前記ハウジング内に挿入される部分の端面から突出する一対の突部が設けられ、
前記一対の突部が、互いに異なる形状、または、前記絶縁基板において前記フラットケーブル本体の帯幅方向の中心を通り、前記フラットケーブル本体の帯長さ方向に沿った軸を中心とした非対称な位置に、設けられ、
前記ハウジングには、前記一対の突部が嵌合される一対の嵌合孔が設けられている
ことを特徴とするケーブルユニット。
【発明の詳細な説明】
【技術分野】
【０００１】
本発明は、フラットケーブル及びケーブルユニットに係り、特に、平角状の導体及びこれら導体を互いの間に挟む一対の帯状の被覆部から構成されるフラットケーブル及びケーブルユニットに関するものである。
【背景技術】
【０００２】
移動体としての自動車には、種々の電子機器が搭載される。前記自動車は、前記電子機器にバッテリなどの電源から電力や制御装置からの制御信号などを伝えるためにワイヤハーネスを配索している。前述したワイヤハーネスは、電線と、コネクタなどを備えている。コネクタは、絶縁性の合成樹脂で形成されたハウジングと、該ハウジング内に収容されるとともに前記電線の端末に取り付けられた端子金具を備えている。
【０００３】
前述した自動車は、ユーザなどからより多機能であることが求められている。このため、前述した自動車は、搭載される電子機器が増加する傾向である。このため、勿論、前述したワイヤハーネスの電線が増加して、該ワイヤハーネスの質量や体積が増加する傾向である。
【０００４】
このため、ワイヤハーネスは、小型軽量化を図るために、前述した電線としてＦＦＣ（フレキシブル・フラット・ケーブル）やＦＰＣ（フレキシブル・プリント・サーキット）などのフラットケーブルを用いることが提案されている。
【０００５】
上記フラットケーブル４は、図７及び図８に示すように、導体４１と、前記導体４１を互いの挟む一対の絶縁シート４２、４３と、を備えて、扁平な帯状に形成されている。上記導体４１は、平角状に複数設けられている。複数の導体４１は、それぞれ、直線状に延在し、互いに平行に配置されている。絶縁シート４２、４３は、導体４１同士を互いに絶縁している。このフラットケーブル４の端末においては、一対の絶縁シート４２、４３の一方である絶縁シート４２が除去されている。
【０００６】
これにより、フラットケーブル４端末の導体４１が露出される。このフラットケーブル４の端末を図示しない相手側のコネクタのハウジング内に挿入すると、このハウジング内に保持された端子と露出した導体４１とが接続されて、フラットケーブル４の端末にコネクタを取り付けることができる。
【０００７】
上記フラットケーブル４の絶縁シート４３には、図７に示すように、フラットケーブル４の帯幅方向Ｙ１に対向する一対の端面にそれぞれ位置決め用の凹部５１が設けられている。このフラットケーブル４の端末をハウジング内に挿入すると、ハウジングに設けた係止凸部が、フラットケーブル４の絶縁シート４３に設けた凹部５１内に挿入して係止する。これにより、ハウジングからフラットケーブル４が抜けることを防止すると共にハウジング内でのフラットケーブル４の位置決めも行える。
【０００８】
また、上述した凹部５１の代わりに、図８に示すように、フラットケーブル４の帯幅方向Ｙ１に対向する一対の端面に凸部５２を設けることも考えられる。このフラットケーブル４の端末をハウジング内に挿入すると、フラットケーブル４に設けた凸部５２がハウジング内に設けた係止凹部に挿入して係止する。これにより、同様に、ハウジングからフラットケーブル４が抜けることを防止すると共にハウジング内でのフラットケーブル４の位置決めも行える。
【０００９】
しかしながら、上述したフラットケーブル２は、ひっくり返しても同じ形状、即ち、帯幅方向Ｙ１の中心を通り帯長さ方向Ｙ２と平行な軸Ｚを中心に１８０度回転させても同じ形状に形成されている。このため、導体４１の露出部を上に向けても、下に向けてもハウジング内に挿入することができ、誤って上下逆に挿入してしまい、接続不良が発生する、恐れがあった。
【発明の概要】
【発明が解決しようとする課題】
【００１０】
そこで、本発明は、コスト、製造工程が増加することなく、逆挿入を防止するフラットケーブル及びケーブルユニットを提供することを課題とする。
【課題を解決するための手段】
【００１１】
上述した課題を解決するための請求項１記載の発明は、平角状の導体と、前記導体を互いの間に挟む一対の帯状の被覆部と、を備えたフラットケーブルであって、当該端末を相手側のコネクタのハウジングに挿入すると当該ハウジング内に保持された端子と前記導体とが接続されるフラットケーブルにおいて、前記被覆部には、前記相手側のハウジング内に挿入される部分の端面から突出し、前記ハウジング内に設けた一対の嵌合孔にそれぞれ嵌合される一対の突部が設けられ、前記一対の突部が、互いに異なる形状、または、前記フラットケーブルの帯幅方向の中心を通り、前記フラットケーブルの帯長さ方向に沿った軸を中心とした非対称な位置に、設けられていることを特徴とするフラットケーブルに存する。
【００１２】
請求項２記載の発明は、平角状の導体及び前記導体を互いの間に挟む一対の帯状の被覆部から構成されるフラットケーブル本体と、前記フラットケーブル本体の端末が搭載される絶縁基板と、を備え、前記絶縁基板を相手側のコネクタのハウジングに挿入すると当該ハウジング内に保持された端子と前記絶縁基板上に搭載されたフラットケーブル本体の導体とが接続されるフラットケーブルにおいて、前記絶縁基板には、前記ハウジング内に挿入される部分の端面から突出し、前記ハウジング内に設けた一対の嵌合孔にそれぞれ嵌合される一対の突部が設けられ、前記一対の突部が、互いに異なる形状、または、前記絶縁基板において前記フラットケーブル本体の帯幅方向の中心を通り、前記フラットケーブル本体の帯長さ方向に沿った軸を中心とした非対称な位置に、設けられていることを特徴とするフラットケーブルに存する。
【００１３】
請求項３記載の発明は、前記一対の突部が、前記フラットケーブルの帯長さ方向の端末側の端面から前記コネクタに向かって突出して設けられていることを特徴とする請求項１又は２に記載のフラットケーブルに存する。
【００１４】
請求項４記載の発明は、前記一対の突部が、前記帯幅方向の長さが互いに異なるように設けられていることを特徴とする請求項３に記載のフラットケーブルに存する。
【００１５】
請求項５記載の発明は、平角状の導体及び前記導体を互いの間に挟む一対の帯状の被覆部から構成されるフラットケーブルと、前記フラットケーブルの端末が挿入されるハウジングと、前記ハウジング内に収容され、前記フラットケーブルの端末が前記ハウジング内に挿入されると前記導体と接続する端子と、を備えた相手側コネクタと、を備えたケーブルユニットにおいて、前記フラットケーブルの被覆部には、前記ハウジング内に挿入される部分の端面から突出する一対の突部が設けられ、前記一対の突部が、互いに異なる形状、または、前記絶縁基板において前記フラットケーブル本体の帯幅方向の中心を通り、前記フラットケーブル本体の帯長さ方向に沿った軸を中心とした非対称な位置に、設けられ、前記ハウジングには、前記一対の突部が嵌合される一対の嵌合孔が設けられていることを特徴とするケーブルユニットに存する。
【００１６】
請求項６記載の発明は、平角状の導体及び前記導体を互いの間に挟む一対の帯状の被覆部から構成されるフラットケーブル本体と、前記フラットケーブル本体の端末が搭載される絶縁基板と、を備えたフラットケーブルと、前記絶縁基板が挿入されるハウジングと、前記ハウジング内に収容され、前記絶縁基板が前記ハウジング内に挿入されると前記絶縁基板上に搭載されたフラットケーブル本体の導体と接続する端子と、を備えた相手側コネクタと、を備えたケーブルユニットにおいて、前記絶縁基板には、前記ハウジング内に挿入される部分の端面から突出する一対の突部が設けられ、前記一対の突部が、互いに異なる形状、または、前記絶縁基板において前記フラットケーブル本体の帯幅方向の中心を通り、前記フラットケーブル本体の帯長さ方向に沿った軸を中心とした非対称な位置に、設けられ、前記ハウジングには、前記一対の突部が嵌合される一対の嵌合孔が設けられていることを特徴とするケーブルユニットに存する。
【発明の効果】
【００１７】
以上説明したように請求項１記載の発明によれば、被覆部には、ハウジング内に挿入される部分の端面から突出し、ハウジング内に設けた一対の嵌合孔にそれぞれ嵌合される一対の突部が設けられ、一対の突部が、互いに異なる形状、または、被覆部においてフラットケーブルの帯幅方向の中心を通り、フラットケーブル本体の帯長さ方向に沿った軸を中心とした非対称な位置に、設けられている。従って、フラットケーブルをハウジング内に逆挿入すると一対の突部が嵌合孔に嵌らない。このため、コスト、製造工程が増加することなく、逆挿入を防止できる。
【００１８】
請求項２記載の発明によれば、絶縁基板には、ハウジング内に挿入される部分の端面から突出し、ハウジング内に設けた一対の嵌合孔にそれぞれ嵌合される一対の突部が設けられ、一対の突部が、互いに異なる形状、または、前記絶縁基板において前記フラットケーブル本体の帯幅方向の中心を通り、前記フラットケーブル本体の帯長さ方向に沿った軸を中心とした非対称な位置に、設けられている。従って、絶縁基板をハウジング内に逆挿入すると一対の突部が嵌合孔に嵌らない。このため、コスト、製造工程が増加することなく、逆挿入を防止できる。
【００１９】
請求項３記載の発明によれば、一対の突部が、フラットケーブルの帯長さ方向の端末側の端面からコネクタに向かって突出して設けられている。即ち、一対の突部が、フラットケーブルのハウジングへの挿入方向に沿って突出しているので、一対の突部を一対の嵌合孔に嵌めやすい。
【００２０】
請求項４記載の発明によれば、一対の突部が、帯幅方向の長さが互いに異なるように設けられているので、簡単な構成で逆挿入防止できる。
【００２１】
請求項５記載の発明によれば、被覆部には、ハウジング内に挿入される部分の端面から突出する一対の突部が設けられ、一対の突部が、互いに異なる形状、または、被覆部においてフラットケーブルの帯幅方向の中心を通り、フラットケーブルの帯長さ方向に沿った軸を中心とした非対称な位置に、設けられ、ハウジングには、一対の突部が嵌合される一対の嵌合孔が設けられている。従って、フラットケーブルをハウジング内に逆挿入すると一対の突部が嵌合孔に嵌らない。このため、コスト、製造工程が増加することなく、逆挿入を防止できる。
【００２２】
請求項６記載の発明によれば、絶縁基板には、ハウジング内に挿入される部分の端面から突出する一対の突部が設けられ、一対の突部が、互いに異なる形状、または、絶縁基板においてフラットケーブル本体の帯幅方向の中心を通り、フラットケーブル本体の帯長さ方向に沿った軸を中心とした非対称な位置に、設けられ、ハウジングには、一対の突部が嵌合される一対の嵌合孔が設けられている。従って、絶縁基板をハウジング内に逆挿入すると一対の突部が嵌合孔に嵌らない。このため、コスト、製造工程が増加することなく、逆挿入を防止できる。
【図面の簡単な説明】
【００２３】
【図１】本発明のケーブルユニットの斜視図である。
【図２】図１に示すケーブルユニットの分解斜視図である。
【図３】（Ａ）は図２のＡ−Ａ線断面図であり、（Ｂ）は図２のＢ−Ｂ線断面図である。
【図４】図３のＣ−Ｃ線断面図である。
【図５】他の実施形態における図３のＣ−Ｃ線断面図である。
【図６】他の実施形態におけるフラットケーブルの斜視図である。
【図７】従来のフラットケーブルの一例を示す部分斜視図である。
【図８】従来のフラットケーブルの一例を示す部分斜視図である。
【発明を実施するための形態】
【００２４】
以下、本発明のフラットケーブル及びケーブルユニットを図面に基づいて説明する。図１は、本発明のケーブルユニットの斜視図である。図２は、図１に示すケーブルユニットの分解斜視図である。図３（Ａ）は図２のＡ−Ａ線断面図であり、図３（Ｂ）は図２のＢ−Ｂ線断面図である。図４は、図３のＣ−Ｃ線断面図である。なお、図４については、図面を簡単にするため導体４１の露出部については省略してある。
【００２５】
同図に示すように、ケーブルユニット１は、柔軟性のあるフラットケーブル４と、このフラットケーブル２に嵌合して接続される相手側のコネクタ３と、を備えている。上記フラットケーブル４は、図２及び図３に示すように、複数の平角状の導体４１と、これら複数の導体４１を挟む被覆部としての一対の帯状の絶縁シート４２、４３と、を備えて、扁平な帯状に形成されている。
【００２６】
導体４１は、導電性を有する金属で構成されていて、少なくとも銅または銅合金を含んでいる。導体４１は、断面形が矩形状に形成されている。また、導体４１は、直線状に延びていて、互いに平行に配置されている。
【００２７】
一対の絶縁シート４２、４３は、絶縁性の合成樹脂からなり帯状に形成されている。絶縁シート４２、４３は、扁平な帯状に形成されて、図２に示すように、互いの間に導体４１を挟んで被覆している。この絶縁シート４２、４３は、複数の導体４１を電気的に絶縁している。
【００２８】
このフラットケーブル４の端末においては、一対の絶縁シート４２、４３の一方である絶縁シート４２が除去されている。これにより、図２及び図３（Ｂ）に示すように、フラットケーブル本体４端末の導体４１が露出される。
【００２９】
また、上記絶縁シート４３には、図２及び図４などに示すように、フラットケーブル４の帯幅方向Ｙ１に対向する一対の端面にそれぞれ位置決め用の凹部５１が設けられている。この凹部５１は、略矩形状に設けられ、導体４１の露出部を挟むように設けられている。
【００３０】
さらに、上記絶縁シート４３には、帯長さ方向Ｙ２の端末側の端面からコネクタ３に向かって突出するようにそれぞれ形成された一対の突部５３、５４が設けられている。この一対の突部５３、５４は、フラットケーブル４の帯幅方向Ｙ１両端に位置している。また、この突部５３、５４は、矩形状に形成されていて、互いに帯長さ方向Ｙ２の長さは等しいが、突部５３の帯幅方向Ｙ１の長さＬ１が、突部５４の帯幅方向Ｙ１の長さＬ２よりも長く設けられている。即ち、突部５３、５４は、互いに異なる形状に設けられている。
【００３１】
上記コネクタ３は、図示しない基板上に搭載され、フラットケーブル２を基板上の配線と接続する。上記コネクタ３は、図２に示すように、ハウジング３１と、複数の端子３２と、を備えている。ハウジング３１は、絶縁性の合成樹脂から構成されていて、帯幅方向Ｙ１に長い嵌合部３１ａを備えた箱型に形成されている。この嵌合部３１ａの天井面には、後述する端子３２を収容する収容溝３１ｂが帯長さ方向Ｙ２に延在するともに、帯幅方向Ｙ１に並んで設けられている。
【００３２】
また、ハウジング３１は、図４に示すように、絶縁シート４３の一対の突部５３、５４が嵌合される一対の嵌合孔３１ｃ、３１ｄが設けられている。図４に示すように、嵌合孔３１ｃの帯幅方向Ｙ１の長さＬ３は、突部５３の帯幅方向Ｙ１の長さＬ１よりも若干大きめに設けられている。
【００３３】
また、嵌合孔３１ｄの帯幅方向Ｙ１の長さＬ４は、突部５４の帯幅方向Ｙ１の長さＬ１よりも若干大きめに設けられ、突部５３の帯幅方向Ｙ１の長さＬ１より小さく設けられている。この一対の嵌合孔３１ｃ、３１ｄ間には、フラットケーブル４の帯長さ方向Ｙ２の端面が突き当てられる突き当て部３１ｅが形成されている。
【００３４】
さらに、ハウジング３１には、帯幅方向Ｙ１の両側に絶縁シート４３に設けた一対の凹部５１に係止する一対の係止凸部３１ｆが設けられている。
【００３５】
フラットケーブル４の端末をハウジング３１内に挿入すると、図４に示すように、フラットケーブル４に設けた一対の凹部５１にハウジング３１の係止凸部３１ｆが挿入され係止する。そして、これによりハウジング３１からフラットケーブル４が抜けることを防止すると共にハウジング３１内でのフラットケーブル４の位置決めも行える。
【００３６】
上記端子３２は、図２に示すように、略Ｌ字状で、ハウジング３１に設けた収容溝３１ｂ内に収容される保持部３２ａと、保持部３２ａの一端から斜めに下垂して設けられた導体４１と接触する接触部３２ｂと、保持部３２ａの他端から略垂直に下垂して設けられた接続部３２ｃと、から構成されている。上記接続部３２ｃは、ハウジング３１のフラットケーブル２から離れた側から外部に突出して設けられ、図示しない基板上に接続される。
【００３７】
フラットケーブル４の端末をハウジング３１内に挿入すると、露出された導体４１とハウジング３１内に保持された端子３２の保持部３２ａとが接触し、導体４１と端子３２とが電気的に接続される。
【００３８】
上述したケーブルユニット１によれば、絶縁シート４３には、ハウジング３１内に挿入される部分の端面から突出する一対の突部５３、５４が設けられ、一対の突部５３、５４が、互いに異なる形状に設けられている。また、ハウジング３１には、一対の突部５３、５４が嵌合される一対の嵌合孔３１ｃ、３１ｄが設けられている。従って、フラットケーブル４をひっくり返してハウジング３１内に逆挿入すると一対の突部５３、５４が嵌合孔３１ｃ、３１ｄに嵌らない。詳しくは、嵌合孔３１ｄの帯幅方向Ｙ１の長さＬ２は、突部５３の帯幅方向Ｙ１の長さＬ１よりも短いため、フラットケーブル４をひっくり返してハウジング３１内に逆挿入すると、嵌合孔３１ｄに凸部５３を嵌めることができない。このため、コスト、製造工程が増加することなく、逆挿入を防止できる。
【００３９】
また、上述したケーブルユニット１によれば、一対の突部５３、５４が、絶縁シート４３においてフラットケーブル本体４の帯長さ方向Ｙ２の端末側の端面からコネクタ３に向かって突出して設けられている。即ち、一対の突部５３、５４が、フラットケーブル４のハウジング３１への挿入方向に沿って突出しているので、一対の突部５３、５４を一対の嵌合孔３１ｃ、３１ｄに嵌めやすい。
【００４０】
また、上述したケーブルユニット１によれば、帯幅方向Ｙ１の長さＬ１、Ｌ２が互いに異なるように、一対の突部５３、５４が設けられているので、簡単な構成で逆挿入防止できる。
【００４１】
なお、上述した実施形態によれば、一対の突部５３、５４の形状を異ならして逆挿入を防止していたが、本発明はこれに限ったものではない。例えば、図５に示すように、一対の突部５３、５４が、フラットケーブル４の帯幅方向Ｙ１の中心を通り、帯長さ方向Ｙ２に沿った軸Ｚを中心とした非対称な位置に設ければ、一対の突部５３、５４を互いに同じ形状に設けても、同様に、フラットケーブル４をひっくり返したときに嵌合孔３１ｃ、３１ｄに突部５３、５４が嵌らずに逆挿入を防止できる。
【００４２】
また、上述した実施形態によれば、フラットケーブル４の端末において幅方向Ｙ１の一端から他端にわたって絶縁シート４２を除去していたが、本発明はこれに限ったものではない。導体４１が露出するように絶縁シート４２を除去すればよく、幅方向Ｙ１の端部に絶縁シート４２を一部残したまま除去してもよい。この場合、両方の絶縁シート４２、４３に上記凹部５１や突部５３、５４が形成される。
【００４３】
また、上述した実施形態によれば、コネクタ３の端子３２は、図示しない基板上に接続されていたが、本発明はこれに限ったものではない。例えば、コネクタ３の端子３２としては、他の電線に接続したものであってもよい。
【００４４】
また、上述した実施形態によれば、フラットケーブルを構成する絶縁シート４３に一対の突部５３、５４を設けていたが、本発明はこれに限ったものではない。例えば、図６に示すように、フラットケーブル４の端末を絶縁基板５に搭載して、その絶縁基板５をハウジング３内に挿入する場合には、絶縁基板５に突部５３、５４を設けるようにしてもよい。図６に示すように、絶縁基板５は、略長方形状に設けられていて、その上にフラットケーブル４の端末が搭載されている。このとき、絶縁基板５の短手方向（図２中、帯長さ方向Ｙ２）の端面とフラットケーブル４の帯長さ方向Ｙ２の端面とをそろえるように、絶縁基板５上にフラットケーブル４が搭載されている。
【００４５】
また、絶縁基板５の長手方向（図２中、帯幅方向Ｙ１）の長さは、フラットケーブル４の帯幅よりも長めに設けられている。そして、フラットケーブル４の帯幅方向Ｙ１の両端が、絶縁基板５の長手方向の両端から間隔を空けるように、絶縁基板５上にフラットケーブル４が搭載されている。
【００４６】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４７】
１      ケーブルユニット
３      コネクタ
４      フラットケーブル
５      絶縁基板
３１    ハウジング
３１ｃ  嵌合孔
３１ｄ  嵌合孔
３２    端子
４１    導体
４２    絶縁シート（被覆部）
４３    絶縁シート（被覆部）
５３    突部
５４    突部
Ｙ１    帯幅方向
【図１】
2012099235.tif 000003
【図２】
2012099235.tif 000004
【図３】
2012099235.tif 000005
【図４】
2012099235.tif 000006
【図５】
2012099235.tif 000007
【図６】
2012099235.tif 000008
【図７】
2012099235.tif 000009
【図８】
2012099235.tif 000010